(57)【要約】【課題】  携帯電話端末の電源がＯＦＦの状態となっていることを通知によって知ることができるため、電源ＯＦＦのまま使用者が気づかずに放置されることを効果的に防止する。【解決手段】  携帯電話端末は、電源のＯＦＦ後に電源ＯＦＦであることを通知するまでの時間間隔の経過を知らせる電源ＯＦＦ通知タイマ５４と、電源ＯＦＦ通知タイマ５４から時間間隔の経過が知らされた場合に、電源ＯＦＦであることを通知する通知装置３０とを含む。【選択図】  図１
2010057045.tif 000002
【特許請求の範囲】
【請求項１】
電源のＯＦＦ後に電源ＯＦＦであることを通知するまでの時間間隔の経過を知らせるタイマ手段と、
前記タイマ手段から前記時間間隔の経過が知らされた場合に、電源ＯＦＦであることを通知する通知手段と
を備えることを特徴とする携帯電話端末。
【請求項２】
前記通知手段により電源ＯＦＦであることの通知を行う場合に、無線通信を行う通信手段の電源をＯＦＦ状態のままとすることを特徴とする請求項１に記載の携帯電話端末。
【請求項３】
電源ＯＦＦの操作を行った場合に、電源ＯＦＦであることを通知するかどうかを選択する選択画面を表示手段に表示し、
前記選択画面で電源ＯＦＦの通知が選択された場合に、前記時間間隔を入力する時間入力画面を表示すると共に、前記時間入力画面から入力された前記時間間隔を前記タイマ手段に設定し、少なくとも無線通信を行う通信手段の電源をＯＦＦにする電源制御手段を備えることを特徴とする請求項１又は請求項２に記載の携帯電話端末。
【請求項４】
前記電源制御手段は、前記選択画面で電源ＯＦＦの通知が選択されなかった場合に、電源を完全にＯＦＦ状態とすることを特徴とする請求項３に記載の携帯電話端末。
【請求項５】
前記電源制御手段は、
前記タイマ手段に設定された時間間隔が経過した場合、前記通知手段を起動して電源ＯＦＦであることを通知すると共に、
電源ＯＦＦの通知を継続するかを選択する継続選択画面を前記表示手段に表示し、
前記継続選択画面で継続が選択された場合に、前記時間入力画面で入力された前記時間間隔を前記タイマ手段に設定し、電源ＯＦＦの通知状態を継続させることを特徴とする請求項３又は請求項４に記載の携帯電話端末。
【請求項６】
前記継続選択画面で継続が選択された場合に、前記時間入力画面で入力された前記時間間隔を変更するかどうかを選択する変更選択画面を前記表示手段に表示し、
前記変更選択画面で前記時間間隔の変更が選択された場合、前記時間入力画面を表示し、前記時間入力画面で入力された新たな時間間隔を前記タイマ手段に設定し、
前記変更選択画面で前記時間間隔の変更が選択されなかった場合、前記時間入力画面で前回入力された前記時間間隔を前記タイマ手段に設定することを特徴とする請求項５に記載の携帯電話端末。
【請求項７】
電源ＯＦＦの通知の時間間隔、通知方法、通知時間の長さを含む電源ＯＦＦ通知に関する設定内容を予め記憶する記憶手段を備え、
電源ＯＦＦであることを通知するかどうかを選択する前記選択画面で電源ＯＦＦの通知が選択された場合に、前記記憶手段に記憶した設定内容で前記電源ＯＦＦの通知を行うかどうかを選択する選択画面を前記表示手段に表示させることを特徴とする請求項３から請求項６の何れかに記載の携帯電話端末。
【請求項８】
携帯電話端末の電源制御方法であって、
電源のＯＦＦ後に電源ＯＦＦであることを通知するまでの時間間隔の経過を知らせるタイマ手段に前記時間間隔を設定するステップと、
前記タイマ手段から前記時間間隔の経過が知らされた場合に、通知手段によって電源ＯＦＦであることを通知するステップを有することを特徴とする電源制御方法。
【請求項９】
電源ＯＦＦであることの通知を行う場合に、無線通信を行う通信手段の電源をＯＦＦ状態のままとすることを特徴とする請求項８に記載の電源制御方法。
【請求項１０】
電源ＯＦＦの操作を行った場合に、電源ＯＦＦであることを通知するかどうかを選択する選択画面を表示手段に表示するステップと、
前記選択画面で電源ＯＦＦの通知が選択された場合に、前記時間間隔を入力する時間入力画面を表示するステップと、
前記時間入力画面から入力された前記時間間隔を前記タイマ手段に設定し、少なくとも無線通信を行う通信手段の電源をＯＦＦにするステップを有することを特徴とする請求項８又は請求項９に記載の電源制御方法。
【請求項１１】
前記選択画面で電源ＯＦＦの通知が選択されなかった場合に、電源を完全にＯＦＦ状態とすることを特徴とする請求項１０に記載の電源制御方法。
【請求項１２】
前記タイマ手段に設定された時間間隔が経過した場合、前記通知手段を起動して電源ＯＦＦであることを通知すると共に、
電源ＯＦＦの通知を継続するかを選択する継続選択画面を前記表示手段に表示し、
前記継続選択画面で継続が選択された場合に、前記時間入力画面で入力された前記時間間隔を前記タイマ手段に設定し、電源ＯＦＦの通知状態を継続させることを特徴とする請求項１０又は請求項１１に記載の電源制御方法。
【請求項１３】
前記継続選択画面で継続が選択された場合に、前記時間入力画面で入力された前記時間間隔を変更するかどうかを選択する変更選択画面を前記表示手段に表示し、
前記変更選択画面で前記時間間隔の変更が選択された場合、前記時間入力画面を表示し、前記時間入力画面で入力された新たな時間間隔を前記タイマ手段に設定し、
前記変更選択画面で前記時間間隔の変更が選択されなかった場合、前記時間入力画面で前回入力された前記時間間隔を前記タイマ手段に設定することを特徴とする請求項１２に記載の電源制御方法。
【請求項１４】
電源ＯＦＦの通知の時間間隔、通知方法、通知時間の長さを含む電源ＯＦＦ通知に関する設定内容を予め記憶手段に記憶し、
電源ＯＦＦであることを通知するかどうかを選択する前記選択画面で電源ＯＦＦの通知が選択された場合に、前記記憶手段に記憶した設定内容で前記電源ＯＦＦの通知を行うかどうかを選択する選択画面を前記表示手段に表示させることを特徴とする請求項１０から請求項１３の何れかに記載の電源制御方法。
【請求項１５】
携帯電話端末上で動作する電源制御プログラムであって、
前記携帯電話端末に、
電源のＯＦＦ後に電源ＯＦＦであることを通知するまでの時間間隔の経過を知らせるタイマ手段に前記時間間隔を設定する処理と、
前記タイマ手段から前記時間間隔の経過が知らされた場合に、通知手段によって電源ＯＦＦであることを通知する処理を実行させることを特徴とする電源制御プログラム。
【請求項１６】
電源ＯＦＦであることの通知を行う場合に、無線通信を行う通信手段の電源をＯＦＦ状態のままとすることを特徴とする請求項１５に記載の電源制御プログラム。
【請求項１７】
電源ＯＦＦの操作を行った場合に、電源ＯＦＦであることを通知するかどうかを選択する選択画面を表示手段に表示する処理と、
前記選択画面で電源ＯＦＦの通知が選択された場合に、前記時間間隔を入力する時間入力画面を表示する処理と、
前記時間入力画面から入力された前記時間間隔を前記タイマ手段に設定し、少なくとも無線通信を行う通信手段の電源をＯＦＦにする処理を実行させることを特徴とする請求項１５又は請求項１６に記載の電源制御プログラム。
【請求項１８】
前記選択画面で電源ＯＦＦの通知が選択されなかった場合に、電源を完全にＯＦＦ状態とすることを特徴とする請求項１７に記載の電源制御プログラム。
【請求項１９】
前記タイマ手段に設定された時間間隔が経過した場合、前記通知手段を起動して電源ＯＦＦであることを通知すると共に、
電源ＯＦＦの通知を継続するかを選択する継続選択画面を前記表示手段に表示する処理と、
前記継続選択画面で継続が選択された場合に、前記時間入力画面で入力された前記時間間隔を前記タイマ手段に設定し、電源ＯＦＦの通知状態を継続させる処理を実行させることを特徴とする請求項１７又は請求項１８に記載の電源制御プログラム。
【請求項２０】
前記継続選択画面で継続が選択された場合に、前記時間入力画面で入力された前記時間間隔を変更するかどうかを選択する変更選択画面を前記表示手段に表示する処理と、
前記変更選択画面で前記時間間隔の変更が選択された場合、前記時間入力画面を表示し、前記時間入力画面で入力された新たな時間間隔を前記タイマ手段に設定する処理と、
前記変更選択画面で前記時間間隔の変更が選択されなかった場合、前記時間入力画面で前回入力された前記時間間隔を前記タイマ手段に設定する処理を実行させることを特徴とする請求項１９に記載の電源制御プログラム。
【請求項２１】
電源ＯＦＦの通知の時間間隔、通知方法、通知時間の長さを含む電源ＯＦＦ通知に関する設定内容を予め記憶手段に記憶する処理と、
電源ＯＦＦであることを通知するかどうかを選択する前記選択画面で電源ＯＦＦの通知が選択された場合に、前記記憶手段に記憶した設定内容で前記電源ＯＦＦの通知を行うかどうかを選択する選択画面を前記表示手段に表示する処理を実行させることを特徴とする請求項１７から請求項２０の何れかに記載の電源制御プログラム。
【発明の詳細な説明】
【技術分野】
【０００１】
本発明は、携帯電話端末に関し、特に電源ＯＦＦにしたままの状態とすることを防止できるようにした携帯電話端末、電源制御方法、電源制御プログラムに関する。
【背景技術】
【０００２】
現在、携帯電話端末の利用に関し、携帯電話端末の発信する電波がペースメーカー、医療機器等に与える影響を考慮し、電車の優先席、病院等では携帯電話端末の電源をＯＦＦとするよう規定されている場所がある。
【０００３】
このような場所において携帯電話端末の電源をＯＦＦにした際、使用者が該当の箇所から離れても電源をＯＦＦにしたことを忘れ、電源をＯＮにしないまま持ち歩き、電話の着信やメールの受信を受けられないことがある。
【０００４】
このような状況に対し、使用者が設定した時刻に自動的に携帯電話端末の電源をＯＮにする機能が提案されている。
【０００５】
また、特許文献１には、携帯電話端末の無線部の電源をＯＦＦにした場合に、タイマーに設定した時刻になると無線部の電源がＯＦＦであることを報知し、電源ＯＦＦにしたことを忘れてしまうのを防止する技術が開示されている。
【特許文献１】特開２００２−３１４６７９号公報
【発明の開示】
【発明が解決しようとする課題】
【０００６】
上述のように、一般的な携帯電話端末では、電源をＯＦＦにした場合に、電源ＯＦＦ状態としたことを忘れて持ち歩いてしまい、重要な電話やメール等の連絡を逃す可能性がある。
【０００７】
また、使用者が設定した時刻に自動的に携帯電話端末の電源をＯＮにする機能を備えた携帯電話端末の場合、電源をＯＮにする時刻を予め想定して設定する必要があり設定作業が煩雑であると共に、状況の変化で電源をＯＮにする時刻が変わった場合でも一旦設定した時刻になると電源がＯＮの状態のままになってしまうという問題がある。
【０００８】
特許文献１に記載される、携帯電話端末の無線部の電源をＯＦＦにした場合に、タイマーに設定した時刻になると無線部の電源がＯＦＦであることを報知する方法では、電源がＯＦＦであることの報知があった後、電源ＯＦＦの状態を継続したい場合に、繰り返し報知する時刻を設定する操作を行う必要があり設定作業が面倒であるという問題があった。
【０００９】
（発明の目的）
本発明の目的は、携帯電話端末の電源がＯＦＦの状態となっていることを通知によって知ることができるため、電源ＯＦＦのまま使用者が気づかずに放置されることを効果的に防止することができる携帯電話端末、電源制御方法、電源制御プログラムを提供することにある。
【００１０】
また、本発明の他の目的は、時刻の入力などの複雑な操作を必要とせず、電源ＯＦＦの通知後も簡単な操作で電源ＯＦＦの通知を継続することのできる携帯電話端末、電源制御方法、電源制御プログラムを提供することにある。
【課題を解決するための手段】
【００１１】
本発明の携帯電話端末は、電源のＯＦＦ後に電源ＯＦＦであることを通知するまでの時間間隔の経過を知らせるタイマ手段と、タイマ手段から時間間隔の経過が知らされた場合に、電源ＯＦＦであることを通知する通知手段とを含む。
【００１２】
本発明の電源制御方法は、携帯電話端末の電源制御方法であって、電源のＯＦＦ後に電源ＯＦＦであることを通知するまでの時間間隔の経過を知らせるタイマ手段に時間間隔を設定するステップと、タイマ手段から時間間隔の経過が知らされた場合に、通知手段によって電源ＯＦＦであることを通知するステップを有する。
【００１３】
本発明の電源制御プログラムは、携帯電話端末上で動作する電源制御プログラムであって、携帯電話端末に、電源のＯＦＦ後に電源ＯＦＦであることを通知するまでの時間間隔の経過を知らせるタイマ手段に時間間隔を設定する処理と、タイマ手段から時間間隔の経過が知らされた場合に、通知手段によって電源ＯＦＦであることを通知する処理を実行させる。
【発明の効果】
【００１４】
本発明によれば、携帯電話端末が電源ＯＦＦ状態であることを使用者に通知するため、電源ＯＦＦのまま使用者が気づかずに放置されることを効果的に防止することができる。
【００１５】
また、時刻の入力などの複雑な操作を必要とせず、電源ＯＦＦの通知後も簡単な操作で電源ＯＦＦの通知を継続することができる。
【発明を実施するための最良の形態】
【００１６】
次に、本発明の実施の形態について図面を参照して詳細に説明する。
【００１７】
（第１の実施の形態）
図１は、本発明の第１の実施の形態による携帯電話端末の構成を示すブロック図である。
【００１８】
第１の実施の形態による携帯電話端末は、キーボード等の入力装置１０と、液晶ディスプレイ装置等の表示装置２０と、無線により音声またはデータの送受信を行う通信装置３０と、スピーカ、バイブレータ等の通知装置４０と、プログラム制御により動作するデータ処理装置５０とを含む。
【００１９】
データ処理装置５０は、音声やデータの送受信の制御を行う通信制御部５１と、通知装置４０であるスピーカやバイブレータ等の駆動を制御する通知制御部５２と、携帯電話端末の各部の電源を制御する電源制御部５３と、設定された時間が経過したことを電源制御部５３に伝える通知間隔設定手段として電源ＯＦＦ通知タイマ５４を有する。
【００２０】
電源制御部５３は、電源ＯＦＦの操作が行われた場合に、電源ＯＦＦ状態であることを通知するかどうかを選択する選択画面を表示装置２０に表示し、選択画面で電源ＯＦＦ状態の通知が選択された場合に、電源ＯＦＦの通知を行う時間間隔を入力する時間入力画面を表示装置２０に表示する機能を有する。
【００２１】
また、電源制御部５３は、時間入力画面から入力された時間間隔を電源ＯＦＦ通知タイマ５４に設定する機能を有する。
【００２２】
電源制御部５３は、選択画面で電源ＯＦＦ状態の通知が選択されなかった場合、携帯電話端末の全回路の電源をＯＦＦとして携帯電話端末の機能を完全に停止する。また、選択画面で電源ＯＦＦ状態の通知が選択された場合、電源制御部５３は、電源制御装部５３と電源ＯＦＦ通知タイマ５４以外の少なくとも通信装置３０を含む回路の電源をＯＦＦとする。
【００２３】
（第１の実施の形態の動作）
次に、図１〜図９を参照して本実施例の全体の動作について詳細に説明する。
【００２４】
まず、携帯電話端末を電源ＯＦＦする際の動作について、図２のフローチャートを参照して説明する。
【００２５】
使用者が携帯電話端末の電源ＯＦＦの操作を行った場合（ステップＡ１０１）、表示装置２０の画面２００に電源ＯＦＦの通知を行うかどうかを選択する選択画面２０１を表示し、入力装置１０からの入力を促す（ステップＡ１０２）。使用者は、表示された選択画面２０１から電源ＯＦＦ通知を行うかどうかを選択する。画面２００に表示する選択画面２０１の一例を図３に示す。
【００２６】
選択画面２０１で電源ＯＦＦ通知を選択しなかった場合（ステップＡ１０３でＮＯ）には、携帯電話端末の全ての回路の電源をＯＦＦとし、携帯電話端末を完全に電源ＯＦＦ状態とする（ステップＡ１０４）。
【００２７】
選択画面２０１で電源ＯＦＦ通知を行うことを選択した場合（ステップＡ１０３でＹＥＳ）には、表示装置２０の画面２００に電源ＯＦＦの通知を行う時間（通知の時間間隔）を入力するための時間入力画面２０２を表示し、時間（通知の時間間隔）の入力を促す（ステップＡ１０５）。画面２００に表示する時間入力画面２０２の一例を図４に示す。
【００２８】
使用者が時間入力画面２０２から入力装置１０を操作して電源ＯＦＦの通知を行う時間（通知の時間間隔）の入力を行うと（ステップＡ１０６）、入力された時間（通知の時間間隔）が電源ＯＦＦ通知タイマ５４にセットされる（ステップＡ１０７）。
【００２９】
通知の時間間隔がセットされると、次回使用者が電源ＯＮの操作を行った際に電源ＯＮ処理を行うための電源制御部５３と電源ＯＦＦ通知タイマ５４以外の医療機器等に影響を及ぼす恐れがある電波を送信する通信装置３０を含む回路の電源をＯＦＦとする（ステップＡ１０８）。
【００３０】
次に、電源ＯＦＦの通知の動作について、図５のフローチャートを参照して説明する。
【００３１】
電源ＯＦＦの操作の際に電源ＯＦＦ通知を設定した場合、電源ＯＦＦ通知タイマ５４に設定された時間（通知の時間間隔）が経過すると（ステップＡ２０１）、電源ＯＦＦ通知タイマ５４より電源制御部５３に対して設定時間の経過を知らせる通知が送られる（ステップＡ２０２）。
【００３２】
電源制御部５３は、電源ＯＦＦ通知タイマ５４からの通知を受け取ると通知制御部５２、通知装置４０の電源をＯＮとする（ステップＡ２０３）。この際、医療機器等に影響を及ぼす恐れがある電波を送信する通信装置３の電源はＯＦＦのままとする。
【００３３】
電源ＯＮ処理実行後、通知制御部５２が通知装置４０を制御して駆動作させることにより、使用者に携帯電話端末が電源ＯＦＦ状態であることを通知する（ステップＡ２０４）。このとき、通知装置４０がスピーカである場合、スピーカから電源ＯＦＦ状態であることを音声や所定の通知音を一定時間出力することによって電源ＯＦＦ状態であることを通知する。また、通知装置４０がバイブレータである場合、一定時間バイブレータを鳴動させることで電源ＯＦＦ状態であることを通知する。また、スピーカからの出力とバイブレータの鳴動を併用して通知を行うようにしてもよい。
【００３４】
なお、電源ＯＦＦ状態であることの通知に際しては、表示装置２０の画面２００に、図６に示すような電源ＯＦＦ状態であることを示すメッセージ画面２０３を表示することも可能である。スピーカからの出力が制約されるような状況でもメッセージ画面２０３の表示によって電源ＯＦＦ状態であることを通知することができる。なお、この場合、電源制御部５３は、通知制御部５２、通知装置４０以外に表示装置２０の電源もＯＮとする。
【００３５】
一定時間の通知を行った後、表示装置２０の電源をＯＮし、表示装置２０の画面２００に電源ＯＦＦの通知を継続するかどうかを選択する選択画面２０４を表示し、入力装置１０からの選択を促す（ステップＡ２０５）。使用者は、表示された選択画面２０１から電源ＯＦＦ通知を継続するかどうかを選択する。画面２００に表示する選択画面２０４の一例を図７に示す。
【００３６】
選択画面２０４を表示した後、電源ＯＦＦ通知タイマ５４に設定された時間（通知の時間間隔）が経過する前に使用者による選択がなされたかどうかを判別し（ステップＡ２０６）、選択がなされないまま時間が経過した場合には、再度ステップＡ２０４による電源ＯＦＦ状態であることを通知を実行し、ステップＡ２０５で選択画面２０４の表示を行う。
【００３７】
ステップＡ２０６で、時間（通知の時間間隔）経過までに使用者による選択がなされた場合であって、その選択が電源ＯＦＦ通知の継続である場合（ステップＡ２０７でＹＥＳ）には、表示装置２０の画面２００に図８に示すような電源ＯＦＦ通知の時間間隔を変更するかどうかを選択する選択画面２０５を表示する（ステップＡ２０８）。
【００３８】
時間間隔を変更しないことを選択した場合（ステップＡ２０９でＮＯ）には、図４のステップＡ１０６で入力した時間（通知の時間間隔）が、自動的に再度電源ＯＦＦ通知タイマ５４にセットされる（ステップＡ２１２）。
【００３９】
時間間隔の変更を選択した場合（ステップＡ２０９でＹＥＳ）には、画面２００に図４に示したような電源ＯＦＦの通知を行う時間（通知の時間間隔）を入力するための時間入力画面２０２を表示し、時間（通知の時間間隔）の入力を促す（ステップＡ２１０）。
【００４０】
使用者が時間入力画面２０２から入力装置１０を操作して電源ＯＦＦの通知を行う時間（通知の時間間隔）の入力を行うと（ステップＡ２１１）、入力された時間（通知の時間間隔）が電源ＯＦＦ通知タイマ５４にセットされる（ステップＡ２１２）。
【００４１】
通知の時間間隔がセットされると、電源制御部５３と電源ＯＦＦ通知タイマ５４以外の回路の電源をＯＦＦとする（ステップＡ２１３）。
【００４２】
上記のように、電源ＯＦＦ通知タイマ５４への時間間隔を再度設定することにより、使用者が携帯電話端末をＯＮとするまで繰り返し電源ＯＦＦの通知を行うことが可能となる。
【００４３】
選択画面２０４で電源ＯＦＦ通知の継続を選択しなかった場合（ステップＡ２０７でＮＯ）には、携帯電話端末の全ての回路の電源をＯＦＦとし、携帯電話端末を完全に電源ＯＦＦ状態とする（ステップＡ２１４）。
【００４４】
次いで、図９を参照して電源ＯＦＦ操作して電源ＯＦＦの通知を選択した場合の時間的な流れについて説明する。
【００４５】
電源ＯＦＦの通知が設定された後、使用者により設定された時間（通知の時間間隔）Ｘが経過するまで電源ＯＦＦ通知タイマ５４のみ動作する。
【００４６】
Ｘ時間経過後、一定時間電源ＯＦＦの通知を行い使用者に対して携帯電話端末の電源がＯＦＦであることを通知する。この通知の際、通信装置３０の電源はＯＦＦ状態のままであり、これにより電波の発信が禁止されている。
【００４７】
電源ＯＦＦの通知後、電源ＯＦＦ通知の継続を選択し、再度電源ＯＦＦ通知タイマ５４に時間（通知の時間間隔）Ｘを設定すると、使用者が携帯電話端末の電源をＯＮにするまで、Ｘ時間ごとに電源ＯＦＦの通知を行う。
【００４８】
（第１の実施の形態による効果）
第１の実施の形態によれば、使用者は携帯電話端末の電源がＯＦＦの状態となっていることを通知によって知ることができるため、電源ＯＦＦのまま使用者が気づかずに放置されることを効果的に防止することができる。これにより、電源ＯＦＦ状態のまま持ち歩いて重要な電話やメール等の連絡を逃すことを効果的に防止することが可能となる。
【００４９】
また、電源ＯＦＦの通知のために一時的に携帯電話端末の一部の回路を電源ＯＮの状態とした場合、通信装置３０を電源ＯＦＦの状態のままとして電波の発信がなされないようにしたので、電車の優先席や病院等のために携帯電話端末を電源ＯＦＦとしている場合でも、医療機器等へ影響を及ぼすことなく電源ＯＦＦ通知を使用することができる。
【００５０】
また、電源ＯＦＦ通知の時間間隔を変更しない場合には、そのまま前回設定した時間が設定されるので、自動電源ＯＮ機能のように時刻の入力などの複雑な操作を必要とせず、通知後も電源ＯＦＦの状態に戻ることが可能である。
【００５１】
（第２の実施の形態）
次に、本発明の第２の実施の形態について説明する。図１０は、本発明の第１の実施の形態による携帯電話端末の構成を示すブロック図である。
【００５２】
図１０を参照すると、第２の実施の形態による携帯端末は、図１に示した第１の実施の形態による構成に加えて、データ記憶装置１０内に電源ＯＦＦ通知方式記憶領域１１を備えている。
【００５３】
電源ＯＦＦ通知方式記憶領域１１には、使用者により予め設定された、電源ＯＦＦ通知の時間間隔、通知方法（スピーカから出力する音の種類、バイブレータの振動パターン等）、通知時間の長さ、通知の繰り返し回数等の電源ＯＦＦ通知に関する設定を記憶しておく。
【００５４】
使用者が携帯電話端末の電源をＯＦＦし、電源ＯＦＦ通知を要否を選択する際、電源ＯＦＦ通知方式記憶領域１１に保存されている設定を使用するか、個別に通知方法の設定行うか選択可能とする。
【００５５】
（第２の実施の形態の動作）
次に、第２の実施の形態の動作について詳細に説明する。
【００５６】
まず、携帯電話端末を電源ＯＦＦする際の動作について、図１１のフローチャートを参照して説明する。
【００５７】
図１１において、本実施の形態では、ステップＡ１０３で電源ＯＦＦの通知を選択した後、表示装置２０の画面２００に図１２に示すような電源ＯＦＦの通知の設定方法を選択する選択画面２０６を表示し、入力装置１０からの入力を促す（ステップＡ３０１）。使用者は、表示された選択画面２０６から電源ＯＦＦ通知の設定方法として自動設定か個別設定かを選択する。
【００５８】
設定方法として個別設定を選択した場合には、図２のステップＡ１０５、Ａ１０６と同じように、時間入力画面２０２で時間（通知の時間間隔）を入力する。
【００５９】
設定方法として自動設定を選択した場合には、電源ＯＦＦ通知方式記憶領域１１に保存されている設定内容が読み出され（ステップＡ３０２）、使用者により予め設定された、通知方法（スピーカから出力する音の種類、バイブレータの振動パターン等）、通知時間の長さ、通知の繰り返し回数等が通知制御部５２に設定される（ステップＡ３０３）。また、使用者により予め設定された電源ＯＦＦ通知の時間間隔がステップＡ１０７で電源ＯＦＦ通知タイマ５４にセットされる。
【００６０】
なお、図１１のステップのうち図２と同じ参照番号のステップについては、図２の処理内容と同じであるので説明は省略する。
【００６１】
また、第２の実施の形態による電源ＯＦＦの通知の動作については図５のフローチャートと同様である。ただし、通知の繰り返し回数が設定された場合には、図５のステップＡ２０５、Ａ２０６で電源ＯＦＦ通知の継続を選択すると、ステップＡ２０８、Ａ２０９を経ることなく設定内容の時間間隔が自動的に電源ＯＦＦ通知タイマ５４に再度設定される（ステップＡ２１０）。
【００６２】
（第２の実施の形態による効果）
第２の実施の形態によれば、上述した第１の実施の形態による効果に加えて、電源ＯＦＦ時の状況によって設定方法を自動設定又は個別設定から選択することができるので、より自由度の高い電源ＯＦＦ通知の設定を行うことが可能となる。
【００６３】
図１３は、携帯電話端末のハードウェア構成を示すブロック図である。
【００６４】
図１３を参照すると、携帯電話端末は、一般的なコンピュータ装置と同様のハードウェア構成によって実現することができ、ＣＰＵ（Central Processing Unit）４０１、ＲＡＭ（Random Access Memory）等のメインメモリであり、データの作業領域やデータの一時退避領域に用いられる主記憶部４０２、データの送受信を行う通信部４０３（通信装置３０と通信制御部５２に相当）、入力装置４０５（入力装置１０に相当）、出力装置４０６（表示装置２０、通知装置４０に相当）及び記憶装置４０７（データ記憶装置１００に相当）と接続してデータの送受信を行う入出力インタフェース部４０４、上記各構成要素を相互に接続するシステムバス４０８を備えている。記憶装置４０７は、例えば、ＲＯＭ（Read
Only Memory）、磁気ディスク、半導体メモリ等の不揮発性メモリから構成されるハードディスク装置等で実現される。
【００６５】
本実施の形態による電源ＯＦＦの通知機能は、携帯電話端末に、図１に示す各手段の機能を実現する電源制御プログラムを組み込んだ、ＬＳＩ（Large Scale Integration）等のハードウェア部品である回路部品を実装することにより、その動作をハードウェア的に実現することは勿論として、電源制御プログラムを、記憶装置４０７に格納し、そのプログラムを主記憶部４０２にロードしてＣＰＵ４０１で実行することにより、ソフトウェア的に実現することも可能である。
【００６６】
以上好ましい実施の形態をあげて本発明を説明したが、本発明は必ずしも、上記実施の形態に限定されるものでなく、その技術的思想の範囲内において様々に変形して実施することができる。
【図面の簡単な説明】
【００６７】
【図１】本発明の第１の実施の形態による携帯電話端末の構成を示すブロック図である。
【図２】第１の実施の形態による携帯電話端末の電源ＯＦＦ操作時の動作を説明するフローチャートである。
【図３】第１の実施の形態による電源ＯＦＦの通知の選択画面例を示す図である。
【図４】第１の実施の形態による電源ＯＦＦ通知の時間間隔の入力画面例を示す図である。
【図５】第１の実施の形態による電源ＯＦＦの通知動作を説明するフローチャートである。
【図６】第１の実施の形態による電源ＯＦＦの通知のメッセージ画面例を示す図である。
【図７】第１の実施の形態による電源ＯＦＦの通知を継続するかを選択する選択画面例を示す図である。
【図８】第１の実施の形態による電源ＯＦＦ通知の時間間隔の変更を選択する選択画面例を示す図である。
【図９】第１の実施の形態による電源ＯＦＦ操作して電源ＯＦＦの通知を選択した場合の時間的な流れを説明する図である。
【図１０】本発明の第２の実施の形態による携帯電話端末の構成を示すブロック図である。
【図１１】第２の実施の形態による携帯電話端末の電源ＯＦＦ操作時の動作を説明するフローチャートである。
【図１２】第２の実施の形態による電源ＯＦＦの通知の設定方法を選択する選択画面例を示す図である。
【図１３】本発明の実施の形態による携帯電話端末のハードウェア構成例を示すブロック図である。
【符号の説明】
【００６８】
１０：入力装置
２０：表示装置
３０：通信装置
４０：通知装置
５０：データ処理装置
５１：通信制御部
５２：通知制御部
５３：電源制御部
５４：電源ＯＦＦ通知タイマ
１００：データ記憶装置
１１０：電源ＯＦＦ通知方式記憶領域
２００：画面
２０１：選択画面
２０２：時間入力画面
２０３：メッセージ画
２０４：選択画面
２０５：選択画面
２０６：選択画面
【図１】
2010057045.tif 000003
【図２】
2010057045.tif 000004
【図３】
2010057045.tif 000005
【図４】
2010057045.tif 000006
【図５】
2010057045.tif 000007
【図６】
2010057045.tif 000008
【図７】
2010057045.tif 000009
【図８】
2010057045.tif 000010
【図９】
2010057045.tif 000011
【図１０】
2010057045.tif 000012
【図１１】
2010057045.tif 000013
【図１２】
2010057045.tif 000014
【図１３】
2010057045.tif 000015